(57)【要約】【課題】  幼児のいる家族がレストラン等で外食する場合であっても、食べ物を容易かつ能率的に千切り、幼児の要求等に応じたタイミングや量的な面において千切った食べ物を柔軟に食べさせることができるようにするとともに、食べ物を任意の大きさに千切り、また、箸では千切ることができない固めの野菜なども容易に千切れるようにする。【解決手段】  食べ物Ｆを入れる食器本体２と、手で把持可能なグリップ部４及び食器本体２に入れた食べ物Ｆを少なくとも小さく千切ることができる一又は二以上のブレード部５ａ，５ｂ…を一体に有するフードカッタ３とを具備する。【選択図】  図１
0003110750.tif 000002
【実用新案登録請求の範囲】
【請求項１】
食べ物を入れる食器本体と、手で把持可能なグリップ部及び前記食器本体に入れた食べ物を少なくとも小さく千切ることができる一又は二以上のブレード部を一体に有するフードカッタとを具備してなることを特徴とする携帯用食器。
【請求項２】
前記食器本体に着脱して当該食器本体の開口部を閉塞可能な蓋体を備えることを特徴とする請求項１記載の携帯用食器。
【請求項３】
前記フードカッタは、前記食器本体の内部に収容可能に構成することを特徴とする請求項１又は２記載の携帯用食器。
【請求項４】
前記フードカッタは、盤状のベース部と、このベース部の上面に一体に設けた前記グリップ部と、前記ベース部の下面に一体に設けることにより下方に突出する一又は二以上の板状のブレード部を備えることを特徴とする請求項１又は３記載の携帯用食器。
【考案の詳細な説明】
【技術分野】
【０００１】
本考案は、幼児のいる家族がレストラン等で外食する際に用いて好適な携帯用食器に関する。
【背景技術】
【０００２】
一般に、幼児のいる家族がレストラン等で外食する場合において、スパゲッティやハンバーグ等の比較的長い食べ物や大きい食ベ物の場合、そのままでは幼児の口に入らないため、母親が小さく千切ってから幼児の口に入れてあげることも多く、この際、食べ物を千切る手段としては、専らレストラン等で出されるナイフやフォーク或いは箸等が利用されている。
【考案の開示】
【考案が解決しようとする課題】
【０００３】
しかし、ナイフやフォーク或いは箸を利用する方法は、食べ物を千切るに時間がかかるため、幼児の要求等に応じたタイミングや量的な面において柔軟に食べさせることが容易でない。しかも、食べさせるまでに時間がかかることから千切る大きさも大きめになったり、箸では千切ることができない固めの野菜なども少なくないなど、上述したナイフやフォーク或いは箸を利用する方法は、幼児のいる家族が外食する際に求められる要望に十分に応えられない難点があった。
【０００４】
本考案は、このような背景技術に存在する課題を解決した携帯用食器の提供を目的とするものである。
【課題を解決するための手段】
【０００５】
本考案に係る携帯用食器１は、上述した課題を解決するため、食べ物Ｆを入れる食器本体２と、手で把持可能なグリップ部４及び食器本体２に入れた食べ物Ｆを少なくとも小さく千切ることができる一又は二以上のブレード部５ａ，５ｂ…を一体に有するフードカッタ３とを具備してなることを特徴とする。
【０００６】
この場合、考案の好適な態様により、携帯用食器１には、食器本体２に着脱して当該食器本体２の開口部２ｏを閉塞可能な蓋体６を備えることができる。また、フードカッタ３は、食器本体２の内部に収容可能に構成することができ、例えば、盤状のベース部７と、このベース部７の上面に一体に設けたグリップ部４と、ベース部７の下面に一体に設けることにより下方に突出する一又は二以上の板状のブレード部５ａ，５ｂ…を備えて構成することができる。
【考案の効果】
【０００７】
このような構成を有する本考案に係る携帯用食器１によれば、次のような顕著な効果を奏する。
【０００８】
（１）  幼児のいる家族がレストラン等で外食する場合であっても、食べ物Ｆを容易かつ能率的に千切ることができるため、幼児の要求等に応じたタイミングや量的な面において千切った食べ物Ｆを柔軟に食べさせることができる。
【０００９】
（２）  食べ物Ｆを任意の大きさに千切ることができるとともに、箸では千切ることができない固めの野菜なども容易に千切ることができるなど、使い勝手に優れる。
【００１０】
（３）  好適な態様により、携帯用食器１に、食器本体２に着脱して当該食器本体２の開口部２ｏを閉塞可能な蓋体６を備えれば、フードカッタ３を食器本体２の内部に収容可能となり、より携帯性を高めることができる。
【００１１】
（４）  好適な態様により、フードカッタ３を、盤状のベース部７と、このベース部７の上面に一体に設けたグリップ部４と、ベース部７の下面に一体に設けることにより下方に突出する一又は二以上の板状のブレード部５ａ，５ｂ…を備えて構成すれば、ベース部７の上面を物入部として利用できるなど、携帯用食器１の内部における収容性や多機能性（多様性）をより高めることができる。
【考案を実施するための最良の形態】
【００１２】
次に、本考案に係る最良の実施形態を挙げ、図面に基づき詳細に説明する。
【００１３】
まず、本実施形態に係る携帯用食器１の構成について、図１〜図６を参照して具体的に説明する。
【００１４】
本実施形態に係る携帯用食器１は、大別して、食器本体２，フードカッタ３及び蓋体６を備える。
【００１５】
食器本体２は、全体を耐熱性プラスチックにより、底面部を有する筒形のカップ状に一体成形する。これにより、食器本体２の上端は開口部２ｏとなり、この開口部２ｏから食器本体２に対し、図５（ａ）に示すように食べ物Ｆを入れることができる。また、食器本体２の外周面における上端部には、上下所定幅にわたって着脱部１１を設ける。この着脱部１１としてはネジ部等を利用できる。なお、必要により、食器本体２の外面には、図３に示すように、模様や滑り止め処理等を施すことができる。
【００１６】
蓋体６も上述した食器本体２と同様の耐熱性プラスチックにより、天面部を有する筒形の逆カップ状に一体成形する。これにより、蓋体６の下端は開口部６ｏ（図６）となる。また、蓋体６は、食器本体２に対して形状デザイン的に連続性を持たせ、蓋体６の内周部における下端部には、上下所定幅にわたって着脱部１２を設ける。この着脱部１２としては、食器本体２の着脱部１１に螺合するネジ部等を利用できる。これにより、蓋体６は、食器本体２に着脱し、装着した際には食器本体２の開口部２ｏを閉塞する。なお、必要により、食器本体２の外面には、図３に示すように、模様や滑り止め処理等を施すことができる。
【００１７】
一方、フードカッタ３も上述した食器本体２と同様の耐熱性プラスチックにより一体成形する。フードカッタ３は、図１に示すように、手で把持可能なグリップ部４及び食器本体２に入れた食べ物Ｆを少なくとも小さく千切ることができる四つのブレード部５ａ，５ｂ，５ｃ，５ｄを一体に有する。より具体的には、円盤状に形成したベース部７と、このベース部７の上面に一体に設けたグリップ部４と、ベース部７の下面に一体に設けることにより下方に突出する四つの板状のブレード部５ａ，５ｂ…により構成する。
【００１８】
このフードカッタ３は、食器本体２の内部に収容可能に構成する。このため、ベース部７の外径は、図１に示すように、食器本体２の内径よりもやや小さい程度に選定することが望ましい。また、ベース部７は、周縁部に立上部７ｓを設けるとともに、グリップ部４には、縦方向のスリット部４ｓ，４ｓを設ける。これにより、ベース部７の上面は、図２に示すように、折畳式のスプーンやフォーク等の物１５を入れることができる物入部７ｉとして機能させることができ、携帯用食器１の内部における収容性や多機能性（多様性）をより高めることができる。さらに、各ブレード部５ａ…は、図４に示すように、矩形に形成するとともに、各下端辺は、図１に示すように、断面を尖形に形成し、刃部として機能させる。これにより、各ブレード部５ａ…を食べ物Ｆに対して上から押し付けたり突っつくことにより当該食べ物Ｆを小さく千切る（カッティングする）ことができる。
【００１９】
なお、携帯用食器１の大きさは、一例として、食器本体２の高さを５〔ｃｍ〕程度、蓋体６の高さを３〔ｃｍ〕程度、食器本体２（蓋体６）の外径を１１〔ｃｍ〕程度、ブレード部５ａ…の高さを３〔ｃｍ〕程度、グリップ部４の高さを４〔ｃｍ〕程度に選定することができる。
【００２０】
次に、本実施形態に係る携帯用食器１の使用方法（機能）について、各図を参照して説明する。
【００２１】
まず、携帯用食器１は、図１に示すように、食器本体２の内部に、フードカッタ３を収容した後、食器本体２の上端に、蓋体６を装着して開口部２ｏを閉塞することができる。これにより、図３に示すように、食器本体２，フードカッタ３及び蓋体６は一体化され、容易に携帯することができる。このように、携帯用食器１には、食器本体２に着脱して当該食器本体２の開口部２ｏを閉塞可能な蓋体６を備えるため、フードカッタ３を食器本体２の内部に収容可能となり、より携帯性を高めることができる。
【００２２】
一方、携帯用食器１を使用する際には、図６に示すように、食器本体２から蓋体６を取外し、フードカッタ３を取り出す。そして、食器本体２の内部には、図５（ａ）に示すように、スパゲッティやハンバーグ等の比較的長い（大きい）食べ物Ｆを入れる。また、フードカッタ３は、手でグリップ部４を把持し、図６に示すように、フードカッタ３を上下方向Ｄｖに反復的に動かすことにより、食べ物Ｆに対してブレード部５ａ…を上から押し付けたり突っつくとともに、より細かくするには、周方向Ｄｒに反復的に角度を変えることにより、同様の操作を繰り返せば、図５（ｂ）に示すように、比較的長い（大きい）食べ物Ｆを小さく千切る（カッティングする）ことができる。
【００２３】
食器本体２は、通常の食器として機能するため、小さく千切られた食べ物Ｆをこのままスプーン等により掬って取り、幼児に食べさせることができる。なお、使用後又は使用途中のフードカッタ３は、ブレード部５ａ…が汚れないように、図６に示すように、開口部６ｏを上向きに置いた蓋体６の上に載せて置くことができる。
【００２４】
このように、本実施形態に係る携帯用食器１は、幼児のいる家族がレストラン等で外食する場合であっても、食べ物Ｆを容易かつ能率的に千切ることができるため、幼児の要求等に応じたタイミングや量的な面において千切った食べ物Ｆを柔軟に食べさせることができる。また、食べ物Ｆを任意の大きさに千切ることができるとともに、箸では千切ることができない固めの野菜なども容易に千切ることができるなど、使い勝手に優れる。
【００２５】
以上、最良の実施形態について詳細に説明したが、本考案は、このような実施形態に限定されるものではなく、細部の構成，形状，素材，数量，数値等において、本考案の要旨を逸脱しない範囲で、任意に変更，追加，削除することができる。例えば、使用する素材として耐熱性プラスチックを例示したが、ステンレス等の金属材をはじめ、各種素材を利用することができる。また、フードカッタ３等の部材は一体成形した場合を例示したが複数部品の組合わせにより構成してもよい。
【図面の簡単な説明】
【００２６】
【図１】本考案の最良の実施形態に係る携帯用食器の縦断面図、
【図２】同携帯用食器におけるフードカッタの平面図、
【図３】同携帯用食器の外観斜視図、
【図４】同携帯用食器における食器本体とフードカッタの斜視図、
【図５】同携帯用食器における食器本体に食べ物を入れた状態の斜視図、
【図６】同携帯用食器の使用説明図、
【符号の説明】
【００２７】
１      携帯用食器
２      食器本体
２ｏ    食器本体の開口部
３      フードカッタ
４      グリップ部
５ａ…  ブレード部
６      蓋体
７      ベース部
Ｆ      食べ物
【図１】
0003110750.tif 000003
【図２】
0003110750.tif 000004
【図３】
0003110750.tif 000005
【図４】
0003110750.tif 000006
【図５】
0003110750.tif 000007
【図６】
0003110750.tif 000008